(57)【特許請求の範囲】
【請求項１】
枠体を有し反物生地を所定の長さに裁断する簡易裁断装置であって、枠体に取り付けられ反物生地を支持する支持台と、枠体に取り付けられ前記支持台上の反物生地に接地自在な測長器と、枠体に取り付けられ支持台後方に配置された裁断機と、枠体に取り付けられ裁断した反物生地を受け入れる収納部と、枠体に取り付けられ支持台上の反物生地を押さえるための生地押さえ杆と、枠体に取り付けられ支持台の前方面一に保管ラックから引き出した反物生地を支持する横杆と、を備え、
裁断機はスリットを有する上レール及び下レールと上レールに沿って走行する刃とを備え、上レールは下レールに当接する位置と下レールから上方に離れた位置に待機可能となっており、収納部は、裁断機の後方に開口部を有し、支持台の下部に収納用の空間部を備えており、また枠体の下端にはキャスターが取り付けられていることを特徴とする簡易裁断装置。
【請求項２】
測長器は、枠体の横杆に回動自在に取り付けられており、待機杆の上に待機可能であることを特徴とする、請求項１記載の簡易裁断装置。
【請求項３】
収納部は、屈曲性のあるプラスチック薄板又は帆布で形成されていることを特徴とする、請求項１記載の簡易裁断装置。
【請求項４】
支持台上の反物生地を押さえるための生地押さえ杆を、枠体の横杆に回動可能に取り付けたことを特徴とする、請求項１記載の簡易裁断装置。
【発明の詳細な説明】
【０００１】
【発明の属する技術分野】
本発明は、複数の反物から所望のものを取り出し、その反物生地を測長して所望長さにカット（裁断）する簡易裁断装置に関する。
【０００２】
【従来の技術】
従来より、反物生地を裁断（カット）する方法として種々の方法がある。
その一つに、例えば、保管ラックから反物生地を取り外して裁断テーブルの上に置き、生地を広げ鋏等を使って手作業により裁断する方法がある。
この反物生地Ｗは、図７に示されるように、生地Ｗが心棒ＷＡに巻回されており、心棒ＷＡの両端を保管ラックに横架することで、反物生地は多段且つ多列に保管ラックに保管される。
この反物生地Ｗを保管する保管ラック１００は、図６に示すように、床等に立設された支持枠１０１と、該支持枠１０１に設けられた多数の支持杆１０２とを備え、この支持杆１０２に多数の反物が支持されて保管される。
【０００３】
今、反物を裁断する場合、まず裁断しようとする反物を保管ラックから取り外して、別所にある裁断テーブルの上まで運ぶ。
そして、反物生地の端部を引き出し裁断テーブル上に広げる。
次に、必要とする生地量の長さを巻き尺等を使って測定した後、カッターで所定長にカットする。
【０００４】
しかしながら、このような裁断作業は一見して簡単なようであるが、引き出した反物生地を巻き尺で所望の長さに正確に測定し、しかも真っ直ぐに切断することは、相当の熟練と要領が必要である。
熟練していない者にとっては、寸出しが不揃いになって不良品を出したり、また作業能率も極めて悪いものであった。
【０００５】
また、反物生地は比較的重量的に重く、裁断テーブルの位置まで運ぶ作業も大変であり、裁断後の余った反物生地を元に戻す運搬も面倒である。
一方、反物を広げ長さを測定するためには広い面積の裁断用のテーブルが必要であるため、裁断作業場は広いスペースが不可欠とされていた。
また裁断した反物の枚数が多いと裁断テーブルが満杯になってしまい作業性が悪い。
【０００６】
以上述べた裁断方法の他に、保管ラックと裁断部とが合体した大がかりな裁断装置を使って裁断する方法もある。
この方法は、反物を裁断装置により自動的に所望の長さでカットできることから、作業能力が高まる利点はある。
しかし、裁断装置自体が大型となり、作業場においてもそれを据え付けるための広いスペースを必要する。
当然、費用の面でも高価なものとなる。
また装備されている保管ラックの保管量も限度がある。
【０００７】
【発明が解決しようとする課題】
本発明は、このような技術的な背景をもとになされたものであり、それらの問題点の解決を意図したものである。
即ち、本発明の目的とするところは、熟練度を要せず取扱易く、また簡単に的確な裁断が可能な簡易裁断装置を提供することである。
また、更なる目的は、作業スペースの低減化を図ったコンパクトな簡易裁断装置を提供することである。
【０００８】
【課題を解決するための手段】
しかして、本発明者等は、このような課題に対して、鋭意研究を重ねた結果、裁断装置を移動可能にすること、更に裁断部と収納部とを一体に設けることにより従来の問題点を解決することができることを見出し、この知見に基づいて本発明を完成させたものである。
【０００９】
即ち、本発明は、（１）、枠体を有し反物生地を所定の長さに裁断する簡易裁断装置であって、枠体に取り付けられ反物生地を支持する支持台と、枠体に取り付けられ前記支持台上の反物生地に接地自在な測長器と、枠体に取り付けられ支持台後方に配置された裁断機と、枠体に取り付けられ裁断した反物生地を受け入れる収納部と、枠体に取り付けられ支持台上の反物生地を押さえるための生地押さえ杆と、枠体に取り付けられ支持台の前方面一に保管ラックから引き出した反物生地を支持する横杆と、を備え、裁断機はスリットを有する上レール及び下レールと上レールに沿って走行する刃とを備え、上レールは下レールに当接する位置と下レールから上方に離れた位置に待機可能となっており、収納部は、裁断機の後方に開口部を有し、支持台の下部に収納用の空間部を備えており、また枠体の下端にはキャスターが取り付けられている簡易裁断装置に存する。
【００１０】
そして、（２）、測長器は、枠体の横杆に回動自在に取り付けられており、待機杆の上に待機可能である簡易裁断装置に存する。
【００１１】
そしてまた、（３）、収納部は、屈曲性のあるプラスチック薄板又は帆布で形成されている簡易裁断装置に存する。
【００１２】
そしてまた、（４）、支持台上の反物生地を押さえるための生地押さえ杆を、枠体の横杆に回動可能に取り付けた簡易裁断装置に存する。
【００１８】
本発明は、この目的に沿ったものであれば、上記１〜４の中から選ばれた２つ以上を組み合わせた構成も採用可能である。
【００１９】
【発明の実施の形態】
以下、図面に基づき、本発明における簡易裁断装置の好適な実施の形態を説明する。
本発明の簡易裁断装置は、保管ラックの位置まで移動させて、該保管ラックから反物生地を引出して裁断するものである。
この保管ラック１００は、既に図６で述べたように公知であり、多段且つ多列の支持枠１０２を備えており、多数の反物が横架されている。
なお、反物生地Ｗは心棒ＷＡに巻かれた形状とされている（図７参照）。
【００２０】
反物生地を裁断（カット）する場合、本発明の簡易裁断装置を保管ラック１００の位置まで移動させる。
そして保管ラック１００に保管されている多数の反物の中から裁断するものを一つ選び出す。
選択された反物生地Ｗを、本発明の簡易裁断装置に引き込み、後述する作業手順を経ることで所望の長さにカットするのである。
【００２１】
さて、本発明の簡易裁断装置について説明する。
図１は、本発明の簡易裁断装置の枠体の骨組み構造を示した図である。
図２は、本発明の簡易裁断装置全体を概略的に示した図である。
この簡易裁断装置は、装置全体が適所に移動することができるようになっており、保管ラック１００から供給された反物生地Ｗを支持するための支持手段と、反物生地Ｗを所望長に測定するための測長手段と、反物生地Ｗを裁断するための裁断手段と、更に裁断された反物生地Ｗを収納しておくための収納手段と、を有する。
具体的な構造についていうと、簡易裁断装置は、全体が横杆Ｘと縦杆Ｙと垂直杆Ｚとを組み合わせてなる枠体によってその骨組みが形成されている（図１参照）。
【００２２】
その枠体に、保管ラックから引き出された反物生地Ｗを略水平に支持する支持台１と、該支持台１の上に引き出された反物生地Ｗの長さを測るために支持台１に接地自在である測長器２と、前記支持台１の後方に配置され反物生地Ｗを幅方向に切断するための裁断機３と、裁断した反物生地Ｗを受け入れて収納する収納部４とを備える構造である（図２参照）。
また、枠体の下端にはキャスター９が取り付けられており、簡易裁断装置全体が自由に移動することができる。
【００２３】
まず、図３に示すように、支持台１は、枠体の縦杆に水平に渡された第２横杆Ｘ２と第３横杆Ｘ３との間に取り付けられた板材よりなるものである。
なお、これらの横杆Ｘ２，Ｘ３は後述する横杆も含め縦杆Ｙと垂直杆Ｚに連結されているものである。
そのため、各杆Ｘ，Ｙ，Ｚの連結は継ぎ手を使ったり、また各杆Ｘ，Ｙ，Ｚが金属材の場合は直接溶接等により結合されている。
【００２４】
第２横杆Ｘ２の上方には垂直杆を介して第５上横杆Ｘ５が設けられており、この第５上横杆Ｘ５には、測長器２が第５上横杆Ｘ５の回りに回動自在に取り付けられている。
測長器２は、一対の接触ローラ２Ａ，２Ｂを備えており、両接触ローラ２Ａ，２Ｂが反物生地Ｗに同時に接触して長さを測ることができる。
計測された長さは目盛りにより表示されることで簡単に確認ができる。
また、接触ローラが一対、すなわち２輪、備わっているために、反物生地表面に空回りすることなく確実に接触して正確に計測が可能である。
因みに接触ローラが一つの場合は、反物生地に対して線状に接触するために空回りしたり、線状の引きつれ（いわゆる光皺）が生じ易い。
【００２５】
この測長器２は、反物生地Ｗを測定する時以外は、支持台１から離して待機状態としておく。
そのため、第５上横杆Ｘ５には、測長器２を待機させるための待機杆６が固定されている。
支持台上で反物生地Ｗの測定を終了した測長器２は、第５上横杆Ｘ５の回りを手で回動させて待機杆６の上に置くことにより待機状態となる。
また、必要な時（測定時）に、回動させて支持台上に接地される。
【００２６】
ところで、測長する際には、保管ラック１００から支持台上に反物生地Ｗを引き出して測定することになるが、一旦、引出した反物生地Ｗは生地の張力により保管ラックの方向に引き戻される傾向がある。
そのために、簡易裁断装置には生地押さえ杆５が備わっており、この生地押さえ杆５は、第５上横杆Ｘ５の適所位置には回動可能に取り付けられている。
この生地押さえ杆５の先端には滑り止め５１が取り付けられており、生地押さえ杆５を回動させて、反物生地Ｗを上から押え付けた場合、この滑り止め５１により反物生地Ｗの滑りを防止し、また生地自体が傷付くのを防止する。
【００２７】
また支持台１の後方には支持台上に引き出された反物生地Ｗを切断するための裁断機３が設けられている。
この裁断機３は、長尺の下レール３２、及び、直接、カッター３５を走行させるための長尺の上レール３１とを備える。
上レール３１は第３横杆Ｘ３の両端に取り付けられた一対の支持ブラケット３６によって下レール３２から離して上方に待機状態とすることができる。
すなわち、支持ブラケット３６にはＬ字状溝３７が切り欠かれており、上レール３１の両端に突設された突起３１ＡをＬ字状溝３７の上終端に支持させることで、裁断機３は待機状態に位置決めされる。
【００２８】
上レール３１及び下レール３２の中央にはスリット３３，３４が形成されており、カッター３５は上レール３１に沿って走行するが、その際、刃３５Ａの先は上レールのスリット３３内と下レールのスリット３４内を同時に通過する〔図４（Ｂ）参照〕。
このために、後述するように、上レール３１と下レール３２の間に把持された反物生地Ｗはカッター３５によって的確に裁断されるのである。
この場合、カッターの刃３５Ａは、外部には全く露出していないために、作業中の危険が回避される。
以上のような構造であるために、上下の両レール３１，３２の間に反物生地Ｗをサンドイッチ状に把持した状態でカッター３５を走らせることから、反物生地Ｗの滑りや歪みが生じなく真っ直ぐに的確な裁断が行える。
【００２９】
裁断機３により裁断された反物生地Ｗは、瞬時に収納部４に落下する。
ここで収納部４は、裁断機３の後方であって第３横杆Ｘ３と第４横杆Ｘ４との間に開口部４１を有し支持台１の下部に収納用の空間部Ｓを備えているものであり、第４横杆Ｘ４から第２横杆Ｘ２の下方に位置する第６下横杆Ｘ６に、屈曲性のある仕切り材４２（例えばプラスチック薄板や帆布）を渡たして取り付けることで形成される。
屈曲性のある仕切り材４２によって、緩やかな曲線状の案内部４２Ａが形成される。
反物生地Ｗは、最初、この曲線状の案内部４２Ａに落ち、それから案内されて集積部４２Ｂに移動する。
【００３０】
一方、収納部４の下には、予備台７を設けて、ここに予備置きする場所を提供している。
そのため、裁断した反物枚数が増加したり、ロットが異なるものを区別収納する場合は、収納部４からこの予備台上に移しておく。
なお、この予備台７は、例えば横杆や縦杆に支持された台板よりなる。
また第４横杆Ｘ４には取り外し可能な受け箱８が掛止されており、適宜、必要なものを載置しておける。
【００３１】
さて簡易裁断装置は、図３に示すように、保管ラック１００から反物生地Ｗを引き出して裁断するためのものであるが、保管ラック１００から反物生地Ｗを引き出す場合、反物生地Ｗに無理な張力が働かないように、支持台１に沿った状態、すなわち極力、水平状態で引き出すことが重要である。
そのため、支持台１の前方に、すなわち第２横杆Ｘ２の前方に、それと面一に反物生地Ｗを支持するための第１横杆Ｘ１を設けておく。
【００３２】
したがって、保管ラック１００に保持された反物生地Ｗが第１横杆Ｘ１よりも高い位置にある場合、反物生地Ｗは第１横杆Ｘ１の下側を通して（実線矢印）支持台１に引き込まれる（図３参照）。
また、保管ラック１００に保持された反物Ｗが第１横杆Ｘ１よりも低い位置にある場合、反物生地Ｗは、第１横杆Ｘ１の上側を通して（２点鎖線矢印）支持台１に引き込まれる。
このように、反物生地Ｗが保管ラック１００の上下どの位置にあっても、第１横杆Ｘ１を介して支持台上に沿って反物生地Ｗが供給されるために、皺のない平らな状態に保持され、測長器２による計測も的確に行われる。
【００３３】
次に、本発明の簡易裁断装置を使って反物生地Ｗの裁断操作を工程順に説明する（図５参照）。
図３は、本発明の簡易裁断装置における反物生地の裁断工程の全体の流れを概略的に示した斜視図であり、図４は上面図である。
図５は、本発明の簡易裁断装置における反物生地の裁断操作を工程順に示した図である。
裁断前の簡易裁断装置においては、測長器２は支持台１に当接しないように又裁断機の上レール３１は下レール３２に当接しないように上方に待機状態にしておく。
なお、この時、上レール３１の両端の突起３１Ａは支持ブラケット３６のＬ字状溝の上終端に支持された状態て待機される。
【００３４】
まず、簡易裁断装置を別所にある保管ラック１００の位置まで移動させる。
簡易裁断装置の枠体には、先述したようにキャスター９が取り付けられており、このように保管ラック１００の前まで簡単に移動することができる。
取り敢えず、保管ラック１００の前でキャスター９をロックしておくことが好ましい。
保管ラック１００の中から複数の反物のうち所望のものを選び出す。
【００３５】
次に、選択された反物生地Ｗの端部を掴んで矢印方向Ｌに（身体側の手前方向）に引き出す。
この例では、保管ラック１００の反物生地Ｗの位置が第１横杆Ｘ１より高い位置にあるために、反物生地Ｗは第１横杆Ｘ１の下方を通って（矢印方向）支持台１に送り出されている〔図５（Ａ）参照〕。
この第１横杆Ｘ１により、反物生地Ｗは支持され適度な張力が働いて皺のない（ピンッと張った状態）に保持される。
【００３６】
次に、反物生地Ｗの幅方向の右側先端を裁断機の下レール３２のスリット３４に合わせることで位置決めする〔図５（Ｂ）参照〕。
位置決め後、生地押さえ杆５を第５上横杆Ｘ５の回りに（矢印方向）回動させて反物生地Ｗの上に接地してセットする。
この時、生地押さえ杆５の先端に取り付けられた滑り止め５１により、反物生地Ｗは支持台上に押さえ付けられて仮固定される。
そのため、ここで反物生地Ｗから手を離したとしても、反物生地Ｗが保管ラックの方向に引き戻されるようなことはない。
【００３７】
次に、反物生地Ｗの幅方向の左側先端を裁断機の下レール３２のスリット３４に合わせることで位置決めする。
これで、一定の幅を有する反物生地Ｗの全幅先端をスリット３４に合わせて位置決めすることができる。
【００３８】
次に、予め待機状態に合った（すなわち、待機杆６の上に置かれていた）測長器２を、第５上横杆Ｘ５の回りに回動して下降させ、支持台１に（反物生地Ｗに）接地させる。
【００３９】
次に、反物生地Ｗを手前に更に引き出しながら、測長器２の目盛りを読み、所定の長さに達したところで、引き出しを停止させる〔図５（Ｃ）参照〕。
この場合、測長器２の２つの接触ローラ２Ａ，２Ｂが反物生地Ｗに接触しながら滑りのない的確な回動を行うことができる。
なお、反物生地Ｗを引き出す場合、上記した生地押さえ杆５は反物生地との接触により生ずる光皺を防止するために上方に待機させておくことが好ましい。
一定の長さを測定された反物生地Ｗは、収納部の開口部４１を介して空間部内に垂れ下がった状態となる。
【００４０】
次に、予め上方に待機させておいた上レール３１をＬ字状溝３７から外して下レール３２に当接する位置まで下降させ、下レール３２の上にある反物生地Ｗを上レール３１によって上から押さえ付ける。
これで、反物生地Ｗは上レール３１と下レール３２との間にサンドイッチ状に確実に把持固定される〔図５（Ｃ）参照〕。
【００４１】
ここで、カッター３５を上レール上に沿わせて反物生地Ｗの幅方向にスライドさせると（図４の矢印方向）、刃３５Ａの先は上レール３１と下レール３２の各スリット内を同時に通過して反物生地Ｗを切断する。
切断された反物生地Ｗは自重により収納部の開口部４１を通って内に落下する〔図５（Ｄ）参照〕。
この場合、反物生地Ｗは案内部４２Ａに落下し、速やかに集積部４２Ｂに滑るように移動して収納される。
以上で、裁断操作は終了する。
【００４２】
このような裁断操作を繰り返し行うことにより裁断された反物生地は収納部に順次集積されていく。
全裁断が完了した後は、支持台１に残っている不用な反物生地Ｗが保管ラック１００の方へ巻き戻される。
最後に簡易裁断装置は、保管ラックの位置から元にあった位置にまで移動される。
このように、本発明においては、簡易裁断装置を保管ラックの前に移し、反物生地Ｗを引き出して簡単に一定長裁断することができ、熟練を要することなく的確な裁断が可能となる。
【００４３】
以上、本発明を説明してきたが、本発明は実施形態にのみ限定されるものではなく、その本質から逸脱しない範囲で、他の色々な変形が可能であることは言うまでもない。
簡易裁断装置の枠体を構成する横杆、縦杆、及び垂直杆は、図に示した構造に限らず本発明の支持台、測長器、裁断機、生地押さえ杆、待機杆等を備えることができるものであればよい。
また、例えば、カッターの刃は、方刃、両刃どちらでもよく、また回転刃でもよい。
【００４４】
【発明の効果】
以上説明したように、本発明の簡易裁断装置によれば、必要時に反物が保管された場所へ装置全体を移動することが可能なので従来のような大きな裁断装置を据えつけるためのスペースが不用となる。
人手により反物を裁断テーブルまで移動する作業も不要となり効率的である。
裁断と収納が一連に行えるために省スペース化が図れ、また、裁断の際もサンドイッチ状に挟んで刃を走行させるだけで簡単に的確な裁断が可能で熟練を要さない。
【図面の簡単な説明】
【図１】図１は、本発明の簡易裁断装置全体の骨組み構造を示した図である。
【図２】図２は、本発明の簡易裁断装置全体を概略的に示した図である。
【図３】図３は、本発明の簡易裁断装置における反物生地の裁断工程の全体の流れを概略的に示した側面図である。
【図４】図４は、本発明の簡易裁断装置における反物生地の裁断工程の全体の流れを概略的に示した上面図である。
【図５】図５は、本発明の簡易裁断装置における反物生地の裁断操作を工程順に示した図である。
【図６】図６は、従来及び本発明に共通する保管ラック全体を概略的に示した図である。
【図７】図７は、従来及び本発明に共通する反物全体を概略的に示した図である。
【符号の説明】
１…支持台
２…測長器
２Ａ…接触ローラ
２Ｂ…接触ローラ
３…裁断機
３１…上レール
３１Ａ…突起
３２…下レール
３３…スリット
３４…スリット
３５…カッター
３５Ａ…刃
３６…支持ブラケット
３７…Ｌ字状溝
４…収納部
４１…開口部
４２…仕切り材
４２Ａ…案内部
４２Ｂ…集積部
５…生地押さえ杆
５１…滑り止め
６…待機杆
７…予備台
８…受け箱
９…キャスター
１００…保管ラック
１０１…支持枠
１０２…支持枠
Ｘ１…第１横杆
Ｘ２…第２横杆
Ｘ３…第３横杆
Ｘ４…第４横杆
Ｘ５…第５上横杆
Ｘ６…第６下横杆
Ｙ…縦杆
Ｚ…垂直杆
Ｗ…反物生地
ＷＡ…心棒
Ｓ…空間部
【図１】
0003679703.tif 000002
【図２】
0003679703.tif 000003
【図３】
0003679703.tif 000004
【図４】
0003679703.tif 000005
【図５】
0003679703.tif 000006
【図６】
0003679703.tif 000007
【図７】
0003679703.tif 000008